(57)【要約】【課題】患者の状態に合わせた適切な脱肛防止補助を行うことができる脱肛防止補助具を提供することである。【解決手段】装着者の腰回りに巻きつける胴ベルトと、一端を前記胴ベルトの第一の位置に固定可能であって、他端を前記胴ベルトの第二の位置に固定可能な固定ベルトと、前記固定ベルトの一端と他端との間で移動可能なように前記固定ベルトを貫通させた肛門押さえ部と、前記胴ベルトの第一の位置を装着者の背側、前記胴ベルトの第二の位置を装着者の腹側にして装着したとき、前記他端と前記第二の位置との固定位置を、該固定ベルトの他端において調節可能とすることによって、前記第一の位置から前記第二の位置の間の該固定ベルトの長さを調節可能であって、該装着者が操作可能である固定ベルト長調節手段と、を備えたことを特徴とする。【選択図】図１
2014046095.tif 000002
【特許請求の範囲】
【請求項１】
装着者の腰回りに巻きつける胴ベルトと、
一端を前記胴ベルトの第一の位置に固定可能であって、他端を前記胴ベルトの第二の位置に固定可能な固定ベルトと、
前記固定ベルトの一端と他端との間で移動可能なように前記固定ベルトを貫通させた肛門押さえ部と、
前記胴ベルトの第一の位置を装着者の背側、前記胴ベルトの第二の位置を装着者の腹側にして装着したとき、前記他端と前記第二の位置との固定位置を、該固定ベルトの他端において調節可能とすることによって、前記第一の位置から前記第二の位置の間の該固定ベルトの長さを調節可能であって、該装着者が操作可能である固定ベルト長調節手段と、
を備えたことを特徴とする脱肛防止補助具。
【請求項２】
請求項１に記載の脱肛防止補助具において、
前記固定ベルトが第一の固定ベルト及び第二の固定ベルトの２本の固定ベルトから成る、
ことを特徴とする脱肛防止補助具。
【請求項３】
請求項１に記載の脱肛防止補助具において、
前記固定ベルトが、長尺ベルトを折り返して成るものであり、前記一端は該折り返し位置であり、前記他端は該長尺ベルトの両端のそれぞれである、
ことを特徴とする脱肛防止補助具。
【請求項４】
請求項１乃至３のうちのいずれか１項に記載の脱肛防止補助具において、
前記胴ベルトが前記第２の位置にリング部材を有し、
前記固定ベルトが前記他端の所定面に面ファスナーを有し、
前記固定ベルト長調節手段が、前記リング部材に前記固定ベルトの他端を通して前記面ファスナーを所定位置で接続することによって、前記第一の位置から前記第二の位置の間の該固定ベルトの長さを調節するものである、
ことを特徴とする脱肛防止補助具。
【請求項５】
請求項１乃至４のうちのいずれか１項に記載の脱肛防止補助具において、
前記第二の位置が前記胴ベルト上で移動可能である、
ことを特徴とする脱肛防止補助具。
【発明の詳細な説明】
【技術分野】
【０００１】
本発明は、脱肛防止補助具に関し、詳しくは、押さえ部材によって肛門を押さえて脱肛を防止する脱肛防止補助具に関する。
【背景技術】
【０００２】
従来、脱肛の症状がある疾病が知られており、その脱肛の防止を補助する脱肛防止補助具が知られている（例えば特許文献１）。
【０００３】
特許文献１に記載の発明では、巾広伸縮ベルトを腰に巻き、肛門を押さえる患部押さえを中空伸縮ベルトで巾広伸縮ベルトから吊るし、中空伸縮ベルトの伸縮力で患部押さえを肛門に押し当てる構成を開示している。
【先行技術文献】
【特許文献】
【０００４】
【特許文献１】特開２００５−２８８１２９号公報
【発明の概要】
【発明が解決しようとする課題】
【０００５】
しかしながら、特許文献１に記載の発明では、中空伸縮ベルトの長さをあらかじめ一定に定めており、この中空伸縮ベルトの伸縮力によって患部押さえが肛門に押し当てられて固定されるものであった。
【０００６】
これに対して、実際に脱肛防止補助具を使用する患者は、姿勢の変化や、体型の変化などにより、脱肛防止補助具に求めるサイズが変化するものであり、特許文献１に記載の従来の脱肛防止補助具では、適切な押さえができず、症状を抑えるのに不適切な場合があるという問題があった。
【０００７】
本発明は、上記課題に鑑みてなされたものであり、患者の状態に合わせた適切な脱肛防止補助を行うことができる脱肛防止補助具を提供することを目的とする。
【課題を解決するための手段】
【０００８】
上記課題を解決するために、本発明は、装着者の腰回りに巻きつける胴ベルトと、一端を前記胴ベルトの第一の位置に固定可能であって、他端を前記胴ベルトの第二の位置に固定可能な固定ベルトと、前記固定ベルトの一端と他端との間で移動可能なように前記固定ベルトを貫通させた肛門押さえ部と、前記胴ベルトの第一の位置を装着者の背側、前記胴ベルトの第二の位置を装着者の腹側にして装着したとき、前記他端と前記第二の位置との固定位置を、該固定ベルトの他端において調節可能とすることによって、前記第一の位置から前記第二の位置の間の該固定ベルトの長さを調節可能であって、該装着者が操作可能である固定ベルト長調節手段と、を備えたことを特徴とする。
【発明の効果】
【０００９】
本発明によれば、患者の状態に合わせた適切な脱肛防止補助を行うことができる脱肛防止補助具を提供することができる。
【図面の簡単な説明】
【００１０】
【図１】本発明の一実施の形態に係る脱肛防止補助具を示す斜視図である。
【図２】図１に示した胴ベルト２の係止機構を示す斜視図である。
【図３】図１に示した固定ベルト１１の係止機構を示す斜視図である。
【図４】図１に示した肛門押さえ部１４の側面図である。
【図５】図１に示した脱肛防止補助具１を装着した状態を、装着者の腹側から見た図である。
【図６】図１に示した脱肛防止補助具１を装着した状態を、装着者の背側から見た図である。
【発明を実施するための形態】
【００１１】
以下、本発明の実施の形態を図面に基づいて説明する。
【００１２】
図１は、本発明の一実施の形態に係る脱肛防止補助具を示す斜視図である。
【００１３】
脱肛防止補助具１は、装着者の腰回りに巻きつける胴ベルト２と、筒形状であって胴ベルト２が貫通し、胴ベルト２に沿って移動可能であり、装着者の背側に配置する後部留め具６と、後部留め具６を貫通し、装着者の背側から股間を介して腹側へと至る固定ベルト１１と、固定ベルト１１が貫通し、固定ベルト１１に沿って移動可能な肛門押さえ部１４と、を有して構成される。
【００１４】
図２は、図１に示した胴ベルト２の係止機構を示す斜視図である。
【００１５】
胴ベルト２の一端にはバックル４を設け、装着者の腰周りのサイズに合わせて胴ベルト２の他端からバックル４までの胴ベルト２の長さを調節可能にしている。
【００１６】
バックル４の先端には貫通孔を有する掛け輪部３を設けている。また、胴ベルト２の他端には掛け爪部５を設けており、掛け輪部３に掛け爪部５を引っ掛けることで胴ベルト２の一端と他端とを係止し、胴ベルト２を輪にして装着者の腰回りに固定する。
【００１７】
図３は、図１に示した固定ベルト１１の係止機構を示す斜視図である。
【００１８】
図１に示すように、胴ベルト２が貫通する後部留め具６の両側には、左前部留め具８および左前部留め具１０を設けている。
【００１９】
左前部留め具８および左前部留め具１０には胴ベルト２が貫通しており、左前部留め具８および左前部留め具１０は胴ベルト２に沿って移動可能である。左前部留め具８はリング部７を有し、右前部留め具１０はリング部９を有する。
【００２０】
また、固定ベルト１１の先端部１２は、雄ファスナー１２ａと雌ファスナー１２ｂとから成る面ファスナーを有し、固定ベルト１１の先端部１３は、雄ファスナー１３ａと雌ファスナー１３ｂとから成る面ファスナーを有する。
【００２１】
図３では、左前部留め具８に固定ベルト１１の先端部１３を固定する様子を示しているが、右前部留め具１０に固定ベルト１１の先端部１３を固定する様子も同様であるので、右前部留め具１０に固定ベルト１１の先端部１３を固定する様子の図示は省略する。
【００２２】
左前部留め具８に固定ベルト１１の先端部１３を固定する際には、左前部留め具８を胴ベルト２に沿って装着者の腹側に移動させ、左前部留め具８のリング部７に固定ベルト１１の先端部１３を貫通させ、肛門押さえ部１４が装着者の所望の強さで肛門を塞ぐように、リング部７に通す先端部１３の長さを調節し、その位置で雄ファスナー１３ａと雌ファスナー１３ｂとを接続して固定する。
【００２３】
同様に、右前部留め具１０に固定ベルト１１の先端部１２を固定する際には、右前部留め具１０を胴ベルト２に沿って装着者の腹側に移動させ、右前部留め具１０のリング部９に固定ベルト１１の先端部１２を貫通させ、肛門押さえ部１４が装着者の所望の強さで肛門を塞ぐように、リング部７に通す先端部１３の長さを調節し、その位置で雄ファスナー１２ａと雌ファスナー１２ｂとを接続して固定する。
【００２４】
本実施の形態では、固定ベルト１１は、その一端および他端が装着者の腹側に来るようにし、そのほぼ中央が装着者の背側に来るように後部留め具６で折り返しているが、本発明はこれに限らず、例えば、１本の固定ベルトの一端を背側に固定し、他端を腹側に固定するようにしてもよいし、また例えば、１本の固定ベルトの一端を背側に固定し、他端を右腹側に固定するようにし、１本の固定ベルトの一端を背側に固定し、他端を左腹側に固定するようにし、合計２本の固定ベルトで固定するようにしてもよい。
【００２５】
図４は、図１に示した肛門押さえ部１４の側面図である。
【００２６】
肛門押さえ部１４は、装着者の体型に合わせて、適切に肛門を押さえることができるサイズにするのがよく、例えば、幅３ｃｍ、長さ５ｃｍ、厚さ１．５ｃｍ程度にする。肛門押さえ部１４は、貫通孔を有し、この貫通孔を固定ベルト１１が貫通し、固定ベルト１１に沿って肛門の位置に合うように移動可能である。
【００２７】
図５は、図１に示した脱肛防止補助具１を装着した状態を、装着者の腹側から見た図である。
【００２８】
また図６は、図１に示した脱肛防止補助具１を装着した状態を、装着者の背側から見た図である。
【００２９】
脱肛防止補助具１を装着する際には、図６に示すように、後部留め具６を胴ベルト２に沿って移動させ、後部留め具６が背側のほぼ中央位置（背骨の位置）に来るようにし、掛け輪部３に掛け爪部５を掛けて胴ベルト２を締める。
【００３０】
また、左前部留め具８および右前部留め具１０は、それぞれ腹側に来るように、胴ベルト２に沿って移動させる。
【００３１】
固定ベルト１１の先端部１２および１３は、股間を介して腹側に来るように持ち上げる。このとき肛門押さえ部１４の位置を固定ベルト１１に沿って移動させ、肛門位置に合わせる。
【００３２】
固定ベルト１１の先端部１２はリング部９に通し、また、固定ベルト１１の先端部１３はリング部７に通し、それぞれ、肛門押さえ部１４が肛門に適切な圧力で接するように長さを調節し、面ファスナー１２ａ、１２ｂ、１３ａ、１３ｂを接続する。
【００３３】
本実施の形態によれば、装着者の腹側に設けたリング部７、９に固定ベルト１１の先端部１３、１２を通し、腹側において、後部留め具６からリング部７、９までの固定ベルト１１の長さを、装着者の思い通りの長さに調節することができるようにしたので、装着者がいつでも簡単に長さ調節を行うことができ、装着者が望む適切な圧力で肛門押さえを実施することができるという効果を奏する。
【００３４】
また本実施の形態によれば、固定ベルト１１の先端部１３、１２を面ファスナーで接続して長さ調節が可能なようにしたので、一度、面ファスナーを接続した後にも非常に容易に、外して再接続を行うことができ、こまめに葉傘調節を行うことが可能であるという効果を奏する。
【００３５】
以上、本発明を説明したが、本発明は、この説明に限定されるものではなく、本発明の趣旨を逸脱しない範囲で数々の変形および組み合わせが出来ることは勿論である。
【符号の説明】
【００３６】
１  脱肛防止補助具
２  胴ベルト
３  掛け輪部
４  バックル
５  掛け爪部
６  後部留め具
７  リング部
８  左前部留め具
９  リング部
１０  右前部留め具
１１  固定ベルト
１２  先端部
１２ａ  雄ファスナー
１２ｂ  雌ファスナー
１３  先端部
１３ａ  雄ファスナー
１３ｂ  雌ファスナー
１４  肛門押さえ部
【図１】
2014046095.tif 000003
【図２】
2014046095.tif 000004
【図３】
2014046095.tif 000005
【図４】
2014046095.tif 000006
【図５】
2014046095.tif 000007
【図６】
2014046095.tif 000008